(57)【要約】【課題】従来にあっては、ＬＥＤユニットが表示装置本体（ボックス）に一体で取付けられているために、表示装置本体ごと工場に持ち帰り、新たな位置に取付け孔を開け表示ユニットを取付けたボックスに、作り直した表示パネルを取付けて、現地に再び運び込み交換していたので、交換に伴う表示装置の休止期間が発生して交通安全上において支障があると共に、改修費用が嵩むといった問題があった。【解決手段】地図等が表示されると共にＬＥＤにより文字や図柄を表示するための窓が形成された表示パネル１１と、前記ＬＥＤをマトリックス状に配置したＬＥＤユニット７を前記表示パネルの前記窓から図柄や文字を見ることが可能な大きさに複数個取付けた表示ユニット１２と、前記表示パネルをその背面において所定の隙間を設けて取付ける表示装置本体２と、同表示装置本体の前面に固定され、かつ、前記表示ユニットを表示パネルの所望位置に開けた窓に対して対向するように取付け可能とした取付手段４，１０とを具備した地図型情報表示装置である。【選択図】        図１
2005010661.tif 000002
【特許請求の範囲】
【請求項１】
地図等が表示されると共にＬＥＤにより文字や図柄を表示するための窓が形成された表示パネルと、前記ＬＥＤをマトリックス状に配置したＬＥＤユニットを前記表示パネルの窓から図柄や文字を見ることが可能な大きさに複数個取付けた表示ユニットと、前記表示パネルをその背面において所定の隙間を設けて取付ける表示装置本体と、同表示装置本体の前面に固定され、かつ、前記表示ユニットを前記表示パネルの所望の位置に開けた窓に対して対向するように取付け可能とした取付手段とを具備したことを特徴とする地図型情報表示装置。
【請求項２】
前記取付手段を、前記表示装置本体に対して複数個を取付けたガイドレールとし、同ガイドレールに対して前記表示ユニットを所望の位置に取付けられるようにしたことを特徴とする請求項１記載の地図型情報表示装置。
【請求項３】
前記取付手段を、前記表示装置本体に対して多数のネジ孔が形成された取付板とし、同取付板の前記ネジ孔に対して前記表示ユニットを所望の位置に取付けられるようにしたことを特徴とする請求項１記載の地図型情報表示装置。
【発明の詳細な説明】
【０００１】
【発明の属する技術分野】
本発明は、例えば、市街地の道路上に設置され、駐車場の位置や渋滞などを道路地図上で表示する地図型の表示板であり、一部にＬＥＤを用い文字や図柄情報の表示が可能な表示パネルを有する地図型情報表示装置に関する。
【０００２】
【従来の技術】
従来における地図型情報表示板の一例として図４（ａ）に示すものがある。この表示装置１は、表面に道路地図や駐車場の位置を表す文字等が印刷された表示パネル１１と、文字や図柄情報を表示するためのＬＥＤをマトリックス状（例えば１６×１６）に配置した複数のＬＥＤユニット７とからなり、前記表示パネル１１には前記ＬＥＤユニット７が臨む窓１１ａが開口されている。なお、１３は夜間において表示パネル１１を照明するための照明装置である。
【０００３】
そして、表示装置１の組立方法としては、最初に表示パネル１１の背面に位置する図示しないボックスに開けられた取付け孔にＬＥＤユニット７を直接取付け、次に、取付けられたＬＥＤユニット７に対する窓１１ａが開口された表示パネル１１を前記ボックスに所要の隙間を設けて取付ける。なお、各ＬＥＤユニット７の背面側より導出された電源線および信号線は上記の取付け孔に挿入され、ＬＥＤユニットのＬＥＤを点滅制御して文字等を表示するためのボックス内の図示しない制御装置に接続されている。
【０００４】
【非特許文献】
（１）  １９９８年１０月  名古屋電機工業株式会社発行の総合カタログ・ダイジェスト版  第１４頁  駐車場案内表示装置における誘導案内板
（２）  名古屋電機工業ホームページ（ｈｔｔｐ／／ｗｗｗ．ｎａｇｏｙａ−ｄｅｎｋｉ．ｃｏ．ｊｐ）の駐車場案内の主な製品における誘導案内板
【０００５】
【発明が解決しようとする課題】
ところで、地図型情報表示装置が設置されている近傍の環境、例えば、図４（ｂ）に示すように、駐車場が移動したり、あるいは、増減したり、または、道路が変更される等の地図の内容が変るような場合には、表示パネル１１を変更する必要が生じる。すなわち、地図の変更に加えて文字等を表示するためのＬＥＤユニットの配置および個数等の変更が生じる。
【０００６】
そして、従来にあっては、前記したような表示パネル１１を交換する場合には、ＬＥＤユニット７が表示装置本体（ボックス）に一体で取付けられているために、表示装置本体ごと工場に持ち帰り、新たな位置に取付け孔を開け表示ユニット７を取付けたボックスに、作り直した表示パネル１１を取付けて、現地に再び運び込み交換していた。このような交換にあっては、交換に伴う表示装置の休止期間が発生するため交通安全上において支障があると共に、改修費用が嵩むといった問題があった。
【０００７】
本発明は前記した問題点を解決せんとするもので、その目的とするところは、枠体にＬＥＤユニットを取付けたものを表示ユニットとなし、この表示ユニットを表示装置本体に対して自由な位置に取付け可能とすることにより、現地において表示パネルの交換と表示ユニットの取付けのみで作業が終了し、従って、作業性の向上と改修コストの低減および表示の休止時間の短縮を図ることが可能な地図型情報表示装置を提供せんとするにある。
【０００８】
【課題を解決するための手段】
本発明の地図型情報表示装置は前記した目的を達成せんとするもので、その請求項１の手段は、地図等が表示されると共にＬＥＤにより文字や図柄を表示するための窓が形成された表示パネルと、前記ＬＥＤをマトリックス状に配置したＬＥＤユニットを前記表示パネルの前記窓から図柄や文字を見ることが可能な大きさに複数個取付けた表示ユニットと、前記表示パネルをその背面において所定の隙間を設けて取付ける表示装置本体と、同表示装置本体の前面に固定され、かつ、前記表示ユニットを前記表示パネルの所望の位置に開けた窓に対して対向するように取付け可能とした取付手段とを具備したものである。
【０００９】
請求項２の手段は、前記した請求項１において、前記取付手段を、前記表示装置本体に対して複数個を取付けたガイドレールとし、同ガイドレールに対して前記表示ユニットを所望の位置に取付けられるようにしたものであり、また、請求項３の手段は、前記した請求項１において、前記取付手段を、前記表示装置本体に対して多数のネジ孔が形成された取付板とし、同取付板の前記ネジ孔に対して前記表示ユニットを所望の位置に取付けられるようにしたものである。
【００１０】
【発明の実施の形態】
本発明の地図型情報表示装置の実施の形態を図１、２と共に説明する。なお、図４に示した番号と同じ番号は同一の部材を示すものとして説明は省略する。
２は路側に設置された支柱から道路に張り出した図示しない梁柱などに固定されるボックス状の表示装置本体にして、内部にはＬＥＤユニット７に電源および文字や図柄を表示させるための信号を出力する制御装置（図示せず）が内蔵されており、同制御装置は道路管理事務所から有線あるいは無線によって送信される制御信号を受信すると、同制御信号に基づいて前記ＬＥＤユニット７のＬＥＤを制御して文字や図柄を表示させる。
【００１１】
前記表示装置本体２２の表面には本発明の取付手段に相当するところの多数の長孔４ａが形成されたＬ形の型鋼からなる複数本のガイドレール４が取付けられており、また、同ガイドレール４の左右には各ＬＥＤユニット７よりの電源線および信号線を集合した状態で接続するための防水コネクター５が取付けられている。
【００１２】
６は箱型の枠体にして、その全体の大きさは交換される図４（ｂ）に示した表示パネル１１に形成された各窓１１ａの大きさに略相当する大きさに形成されている。そして、枠体６にはＬＥＤユニット７を取付けるための孔６１が形成されている。なお、６３は補強桟である。
【００１３】
また、枠体６の両側面には上下に突片６２が一体的に形成され、かつ、突片６２には後述する取付金具８のネジ孔８ａにネジ止めするための孔６２ａが形成されている。８は縦列的に多数のネジ孔８ａが形成され、かつ、前記ガイドレール４の間隔と同じ間隔位置にネジ挿通孔８１ａが形成された取付片８１が一体的に形成された取付金具である。なお、９は前記ガイドレール４に前記取付金具８の取付片８１をネジ止めする際に使用する補助金具である。
【００１４】
次に、取付方法について説明するに、先ず、表示パネル１１の窓１１ａに対応する大きさに形成された枠体６の孔６１に対してＬＥＤユニット７を前面からビスによりネジ止めする。この時、各ＬＥＤユニット７の背面には防水パッキン７１が形成されているので、ＬＥＤユニット７と枠体６との間は水密状態となり、背面が塞がれた防水構造の箱体となるため外部からの雨水等によって各ＬＥＤユニット７が電気的にショートするようなことはない。なお、本発明においては、枠体６に対して孔６１の数だけＬＥＤユニット７を取付けたものを表示ユニット１２と呼んでいる。
【００１５】
次に、枠体６の突片６２の孔６２ａからネジを挿通して取付金具８のネジ孔８ａにねじ込んで枠体６を取付金具８に固定する。そして、表示装置本体２に取付けられているガイドレール４の長孔４ａに対して取付金具８の取付片８１のネジ挿通孔８１ａを利用して補助金具９によって固定する。
【００１６】
なお、上記は補助金具９を取付片８１と別体で説明したが、取付片８１と一体で形成し、枠体６を取付けた取付金具８をガイドレール４に一旦懸下して位置合わせを行い、位置を決めた後にネジ挿通孔８１ａにネジを通して取付金具８をガードレール４に固定してもよい。
【００１７】
この時、ガードレール４には所定の位置に長孔が形成されているため、予め計算された表示ユニット１２の取付位置に取付片８１を位置決めすることで表示ユニット１２を表示パネル１１の所望の位置に開けた窓１１ａに対して対向するように取付けることができる。
【００１８】
次に、表示ユニット１２の例えば底面から防水ブッシング等の防水材を介してＬＥＤユニット７の電源線と信号線を導出させ、図２に示す表示装置本体２の前面の左右に配置した防水コネクター５に接続する。そして、最後に表示パネル１１を表示装置本体２の前面に必要な隙間を設けて取付けることで、同窓１１ａに表示ユニット１２が臨んだ状態となる。
【００１９】
このように構成した本発明の地図型情報表示装置にあっては、表示パネル１１と取付金具８に固定された表示ユニット１２を工場で製作して現地に持ち込み、現場において新たな表示ユニット１２（新たな表示パネル１１に形成されている窓１１ａと同じ大きさに形成されている）を、前記したような方法によって表示装置本体２に取付けると共に、新たな表示パネル１１を表示装置本体２の前面に取付けることで作業が終了するものである。
【００２０】
なお、前記した実施の形態は表示装置本体２の表面にガイドレール４を取付け、このガイドレール４に対して取付金具８を利用し表示ユニット１２を取付ける場合を示したが、他の実施の形態として、図３に示すように前記ガイドレール４に変えて、表示装置本体２の表面に多数のネジ孔１０ａを形成した取付板１０としたものであってもよい。
【００２１】
この場合にあっても、取付金具８のネジ孔８１ａを単なる孔８ａとなし、この孔８ａを利用して多数のネジ孔１０ａから所望のネジ孔１０ａを選択してネジ止めすることで、上下方向に対しては所望の位置で固定することが可能である。左右方向に対してはネジ孔１０ａの位置で左右の位置が規制されるので、この場合には取付金具８とネジ孔１０ａとの間に水平に取付けた取付金具８を介在させることで所望の位置で固定することが可能となり、従って、表示装置本体２に対する表示ユニット１２を表示パネル１１の窓１１ａに合わせて取付けることが可能となるものである。
【００２２】
なお、取付金具８やガイドレール４の形状は前記した実施の形態に限定されるものではなく、表示装置本体２に対して自由な位置を選択して表示ユニット１２を固定できるものであれば、如何なる構造のものであってもよい。すなわち、表示ユニット１２を表示パネル１１の窓１１ａに対応した位置で表示装置本体２の表面に取付けができる構造のものであればよい。
【００２３】
また、道路を表示パネル１１の窓１１ａとし表示ユニット１２により渋滞などを表示する場合には、曲線を持つ道路形状に応じて窓１１ａの形状を四角形以外の形状とする必要がある。このような場合には、四角の形状を持つＬＥＤユニット７を合致させることは不可能なので、道路幅より大きく、かつ、道路形状に沿った孔６１を開けた枠体６にＬＥＤユニット７を取付けて、前記した変形した窓１１ａに合わせた表示ユニット１２とすることで対応が可能となる。
【００２４】
前記した実施の形態においては、表示装置本体２として従来と同様にボックス形状のものを使用した場合について説明したが、本発明にあっては、防水構造の表示ユニット１２を取付けるようにしたことから、防水ボックスに収容した制御装置が取付けられている前記した表示パネル１１と同様なパネルに取付けてもよい。
【００２５】
【発明の効果】
本発明は前記したように、表示装置本体に取付部材を固定し、この取付部材の所望位置に表示ユニットを固定することが可能なようにしたので、地図が描かれ、かつ、表示ユニット用の窓が形成された表示パネルを変えて、前記窓位置および表示ユニットの大きさが変更した場合であっても、現地で表示ユニットを前記取付部材に取付けることで表示パネルを交換できるので、作業性の向上と、表示の休止時間の短縮を図ることが可能となるものである。
【図面の簡単な説明】
【図１】ＬＥＤエレメントを取付金具に取付ける状態を示す斜視図である。
【図２】本発明に係る地図型情報表示装置の要部を示す斜視図である。
【図３】他の取付手段を示す正面図である。
【図４】（ａ）は地図型情報表示装置の一例を示す正面図で窓に従来の表示エレメントの集合体を使用した例を示す図、（ｂ）は表示パネルを交換した状態の正面図で本願発明のユニットを使用した例を示す図である。
【符号の説明】
２          表示装置本体
４          ガイドレール
６          枠体
７          ＬＥＤユニット
８          取付金具
１０        取付板
１０ａ      ネジ孔
１２        表示ユニット
【図１】
2005010661.tif 000003
【図２】
2005010661.tif 000004
【図３】
2005010661.tif 000005
【図４】
2005010661.tif 000006